(57)【要約】【課題】高い秘匿性で無線接続設定が確実に行える無線通信システムを提供する。【解決手段】接続要求端末１０では、識別子生成部１２は、情報入力部１１に入力された第１情報に基づいて所定のアルゴリズムで識別子を生成する。被接続要求端末２０では、識別子生成部２２は、情報入力部２１に入力された第１情報に基づいて所定のアルゴリズムで識別子を生成し、出力電力決定部２４は、入力された第１情報の桁数に応じた強度の電波を放射するための送信電力を決定し、識別子送信部２５は、その決定された送信電力で、生成された識別子を含む電波を放射する。接続要求端末１０の接続相手判定部１７は、情報入力部１１に第１情報が入力された後、電波受信部１６が電波を受信した場合、その電波に含まれる識別子を識別子生成部１２が生成した識別子と比較し、一致していた場合には、その電波を放射した被接続要求端末２０が接続すべき相手端末であると判定する。【選択図】図１
2010252180.tif 000002
【特許請求の範囲】
【請求項１】
接続要求側無線通信端末および被接続要求側無線通信端末間の無線接続を設定する無線接続設定方法において、
前記接続要求側無線通信端末によって、入力されてくる第１の情報に基づいて所定のアルゴリズムで識別子を生成する識別子生成ステップと、
前記被接続要求側無線通信端末によって、入力されてくる第１の情報に基づいて前記所定のアルゴリズムで識別子を生成し、前記第１の情報に応じた強度の電波を放射するための送信電力を決定し、前記決定した送信電力で前記生成した識別子を含む電波を放射する識別子送信ステップと、
前記接続要求側無線通信端末によって、前記第１の情報が入力された後、電波を受信した場合、その電波に含まれる識別子を、自らが前記第１の情報に基づいて生成した前記識別子と比較し、一致していた場合には、その電波を放射した前記被接続要求側無線通信端末が接続すべき相手端末であると判定する第１接続相手判定ステップと、
前記接続要求側無線通信端末によって、前記第１の情報が入力された後、電波を受信しなかった場合、入力されてくる第２の情報に基づいて前記所定のアルゴリズムで識別子を生成するとともに、前記被接続要求側無線通信端末によって、入力されてくる第２の情報に基づいて前記所定のアルゴリズムで識別子を生成し、前記第２の情報に応じた強度の電波を放射するための送信電力を決定し、前記決定した送信電力で前記生成した識別子を含む電波を放射する識別子生成送信ステップと、
前記接続要求側無線通信端末によって、前記第２の情報が入力された後、電波を受信した場合、その電波に含まれる識別子を、自らが前記第２の情報に基づいて生成した前記識別子と比較し、一致していた場合には、その電波を放射した前記被接続要求側無線通信端末が接続すべき相手端末であると判定する第２接続相手判定ステップと、を少なくとも備え、
前記第２の情報に応じた電波の強度は、前記第１の情報に応じた電波の強度よりも強い、無線接続設定方法。
【請求項２】
前記接続要求側無線通信端末によって、前記第１の情報に応じた強度の電波を放射するための送信電力を決定し、前記決定した送信電力で予め決められた所定の情報を含む電波を放射し、前記被接続要求側無線通信端末によって、前記所定の情報を含む電波を受信した場合、前記所定の情報の受信があったことを表示する第１所定情報送信受信表示ステップと、
前記接続要求側無線通信端末によって、前記第１の情報が入力された後、電波を受信しなかった場合、前記第２の情報に応じた強度の電波を放射するための送信電力を決定し、前記決定した送信電力で予め決められた所定の情報を含む電波を放射し、前記被接続要求側無線通信端末によって、前記所定の情報を含む電波を受信した場合、前記所定の情報の受信があったことを表示する第２所定情報送信受信表示ステップと、をさらに備えた、請求項１に記載の無線接続設定方法。
【請求項３】
請求項１に記載の無線接続設定方法の、前記接続要求側無線通信端末によって、入力されてくる第１の情報に基づいて所定のアルゴリズムで識別子を生成する前記識別子生成ステップと、前記被接続要求側無線通信端末によって、入力されてくる第１の情報に基づいて前記所定のアルゴリズムで識別子を生成し、前記第１の情報に応じた強度の電波を放射するための送信電力を決定し、前記決定した送信電力で前記生成した識別子を含む電波を放射する前記識別子送信ステップと、前記接続要求側無線通信端末によって、前記第１の情報が入力された後、電波を受信した場合、その電波に含まれる識別子を、自らが前記第１の情報に基づいて生成した前記識別子と比較し、一致していた場合には、その電波を放射した前記被接続要求側無線通信端末が接続すべき相手端末であると判定する前記第１接続相手判定ステップと、前記接続要求側無線通信端末によって、前記第１の情報が入力された後、電波を受信しなかった場合、入力されてくる第２の情報に基づいて前記所定のアルゴリズムで識別子を生成するとともに、前記被接続要求側無線通信端末によって、入力されてくる第２の情報に基づいて前記所定のアルゴリズムで識別子を生成し、前記第２の情報に応じた強度の電波を放射するための送信電力を決定し、前記決定した送信電力で前記生成した識別子を含む電波を放射する前記識別子生成送信ステップと、前記接続要求側無線通信端末によって、前記第２の情報が入力された後、電波を受信した場合、その電波に含まれる識別子を、自らが前記第２の情報に基づいて生成した前記識別子と比較し、一致していた場合には、その電波を放射した前記被接続要求側無線通信端末が接続すべき相手端末であると判定する前記第２接続相手判定ステップとをコンピュータに実行させるプログラム。
【請求項４】
請求項３に記載のプログラムを記録した記録媒体であって、コンピュータにより処理可能な記録媒体。
【請求項５】
接続要求側情報入力部、接続要求側識別子生成部、接続要求側電波受信部、および接続相手判定部を有する接続要求側無線通信端末と、被接続要求側情報入力部、被接続要求側識別子生成部、被接続要求側出力電力決定部、および識別子送信部を有する被接続要求側無線通信端末とが無線で接続される無線通信システムであって、
前記接続要求側無線通信端末および前記被接続要求側無線通信端末間の無線接続を設定する際には、
前記接続要求側情報入力部は、第１の情報を入力し、
前記接続要求側識別子生成部は、前記接続要求側情報入力部に入力された前記第１の情報に基づいて所定のアルゴリズムで識別子を生成し、
前記被接続要求側情報入力部は、第１の情報を入力し、
前記被接続要求側識別子生成部は、前記被接続要求側情報入力部に入力された前記第１の情報に基づいて前記所定のアルゴリズムで識別子を生成し、
前記被接続要求側出力電力決定部は、前記被接続要求側情報入力部に入力された前記第１の情報に応じた強度の電波を放射するための送信電力を決定し、
前記識別子送信部は、前記第１の情報に応じて決定された前記送信電力で、前記被接続要求側識別子生成部が前記第１の情報に基づいて生成した識別子を含む電波を放射し、
前記接続相手判定部は、前記接続要求側情報入力部に前記第１の情報が入力された後、前記接続要求側電波受信部が電波を受信した場合、その電波に含まれる識別子を、前記接続要求側識別子生成部が前記第１の情報に基づいて生成した識別子と比較し、一致していた場合には、その電波を放射した前記被接続要求側無線通信端末が接続すべき相手端末であると判定し、
前記接続要求側情報入力部は、前記第１の情報が入力された後、前記接続要求側電波受信部が電波を受信しなかった場合、第２の情報が入力され、
前記接続要求側識別子生成部は、前記接続要求側情報入力部に入力された前記第２の情報に基づいて前記所定のアルゴリズムで識別子を生成し、
前記被接続要求側情報入力部は、前記第１の情報が入力された後、前記接続要求側電波受信部が電波を受信しなかった場合、第２の情報が入力され、
前記被接続要求側識別子生成部は、前記被接続要求側情報入力部に入力された前記第２の情報に基づいて前記所定のアルゴリズムで識別子を生成し、
前記被接続要求側出力電力決定部は、前記被接続要求側情報入力部に入力された前記第２の情報に応じた強度の電波であって、前記第１の情報に応じた電波の強度よりも強い電波を放射するための送信電力を決定し、
前記識別子送信部は、前記第２の情報に応じて決定された前記送信電力で、前記被接続要求側識別子生成部が前記第２の情報に基づいて生成した識別子を含む電波を放射し、
前記接続相手判定部は、前記接続要求側情報入力部に前記第２の情報が入力された後、前記接続要求側電波受信部が電波を受信した場合、その電波に含まれる識別子を、前記接続要求側識別子生成部が前記第２の情報に基づいて生成した識別子と比較し、一致していた場合には、その電波を放射した前記被接続要求側無線通信端末が接続すべき相手端末であると判定する、無線通信システム。
【請求項６】
前記接続要求側無線通信端末は、
前記接続要求側情報入力部に入力された前記第１の情報に応じた強度の電波を放射するための送信電力を決定する接続要求側出力電力決定部と、
前記接続要求側出力電力決定部が前記第１の情報に応じて決定した前記送信電力で、予め決められた所定の情報を含む電波を放射する所定情報送信部とを有し、
前記被接続要求側無線通信端末は、
前記所定の情報を含む電波を受信する被接続要求側電波受信部と、
前記被接続要求側電波受信部が、前記所定の情報を含む電波を受信した場合、前記所定の情報の受信があったことを表示する所定情報受信通知部とを有し、
前記被接続要求側情報入力部に前記第２の情報が入力された場合には、
前記接続要求側出力電力決定部は、前記接続要求側情報入力部に入力された前記第２の情報に応じた強度の電波を放射するための送信電力を決定し、
前記所定情報送信部は、前記接続要求側出力電力決定部が前記第２の情報に応じて決定した前記送信電力で、予め決められた所定の情報を含む電波を放射し、
前記所定情報受信通知部は、前記被接続要求側電波受信部が、前記所定の情報を含む電波を受信した場合、前記所定の情報の受信があったことを表示する、請求項５に記載の無線通信システム。
【請求項７】
前記第１の情報および前記第２の情報は、数値である、請求項５または６に記載の無線通信システム。
【請求項８】
前記第１の情報および前記第２の情報は、数値であり、
前記予め決められた所定の情報とは、前記第１の情報または前記第２の情報の桁数である、請求項６に記載の無線通信システム。
【請求項９】
前記第１の情報に応じた電波の強度および前記第２の情報に応じた電波の強度は、対応する前記第１の情報および前記第２の情報の桁数が多いほど強い、請求項７または８に記載の無線通信システム。
【請求項１０】
前記接続要求側無線通信端末は、
前記被接続要求側出力電力決定部が、予め決められた上限の桁数に対応する強度の電波を放射するための送信電力を決定し、前記識別子送信部が、その送信電力で電波を放射したときに、前記接続要求側電波受信部がその電波を受信できない場合には、前記被接続要求側無線通信端末との距離を近づけるように警告を発する警告通知部を有する、請求項９に記載の無線通信システム。
【請求項１１】
被接続要求側無線通信端末との間の無線接続を設定する際に、第１の情報を入力する接続要求側情報入力部と、
前記接続要求側情報入力部に入力された前記第１の情報に基づいて所定のアルゴリズムで識別子を生成する接続要求側識別子生成部と、
前記被接続要求側無線通信端末が放射した電波を受信する接続要求側電波受信部と、
前記被接続要求側無線通信端末によって、前記被接続要求側無線通信端末に入力された前記第１の情報に基づいて前記所定のアルゴリズムで識別子が生成され、前記入力された前記第１の情報に応じた強度で放射された前記生成された識別子を含む電波を、前記接続要求側情報入力部に前記第１の情報が入力された後に、前記接続要求側電波受信部が受信した場合、その電波に含まれる識別子を、前記接続要求側識別子生成部が前記第１の情報に基づいて生成した識別子と比較し、一致していた場合には、その電波を放射した前記被接続要求側無線通信端末が接続すべき相手端末であると判定する接続相手判定部とを備え、
前記接続要求側情報入力部に前記第１の情報が入力された後に、前記接続要求側電波受信部が、前記被接続要求側無線通信端末によって放射された前記電波を受信しなかった場合、
前記接続要求側識別子生成部は、前記接続要求側情報入力部に入力された第２の情報に基づいて前記所定のアルゴリズムで識別子を生成し、
前記被接続要求側無線通信端末によって、前記被接続要求側無線通信端末に入力された前記第２の情報に基づいて前記所定のアルゴリズムで識別子が生成され、前記入力された前記第２の情報に応じた強度で放射された前記生成された識別子を含む電波であって、前記第１の情報に応じた電波の強度よりも強い電波を、前記接続要求側電波受信部が受信した場合、前記接続相手判定部は、その電波に含まれる識別子を、前記接続要求側識別子生成部が前記第２の情報に基づいて生成した識別子と比較し、一致していた場合には、その電波を放射した前記被接続要求側無線通信端末が接続すべき相手端末であると判定する、接続要求側無線通信端末。
【請求項１２】
接続要求側無線通信端末との間の無線接続を設定する際に、第１の情報または第２の情報を入力する被接続要求側情報入力部と、
前記被接続要求側情報入力部に入力された前記第１の情報または前記第２の情報に基づいて所定のアルゴリズムで識別子を生成する被接続要求側識別子生成部と、
前記被接続要求側情報入力部に入力された前記第１の情報に応じた強度の電波または前記第２の情報に応じた強度の電波を放射するための送信電力を決定する被接続要求側出力電力決定部と、
前記第１の情報または前記第２の情報に応じて決定された前記送信電力で、前記被接続要求側識別子生成部が前記第１の情報または前記第２の情報に基づいて生成した識別子を含む電波を放射する識別子送信部とを備えた被接続要求側無線通信端末。
【発明の詳細な説明】
【技術分野】
【０００１】
本発明は、無線通信端末同士を接続する際の無線接続設定方法、無線通信システム、接続要求側無線通信端末、被接続要求側無線通信端末等に関するものである。
【背景技術】
【０００２】
情報端末を相互に接続するネットワーク形態の中で、無線通信は、有線通信と比較して、端末の可搬性や配置の自由度に優れていること、有線ケーブルを省くことによる軽量化を図れることなどの利点により、パーソナルコンピュータ（Ｐｅｒｓｏｎａｌ  Ｃｏｍｐｕｔｅｒ；以下、ＰＣという。）でのデータ伝送に留まらず、家電製品での静止画、音声、動画伝送や、ゲーム機器での通信対戦ゲームなど多くの用途に使用されるようになってきた。
【０００３】
しかし、無線通信機能に対応した機器を所有しているにも関わらず、その機能を使用していないユーザは少なくなく、その原因のひとつとして、ユーザが無線通信のセキュリティに関して不安を持っていることが挙げられる。
【０００４】
事実、無線通信では、情報を載せた電磁波を空間に放射して通信を行うため、所望の通信相手ではない第三者に情報が漏れる危険性が存在する。このため、無線通信では、事前に所望の通信相手と認証を行い、暗号鍵を共有し、伝送する情報に秘匿性を持たせることが一般に推奨されている。
【０００５】
ただし、その設定は、例えば無線アクセスポイント（Ａｃｃｅｓｓ  Ｐｏｉｎｔ；以下、ＡＰという。）に有線接続したＰＣのブラウザを利用して無線ＡＰの設定情報を調べるなどの作業が必要となるなどユーザにとって煩雑である場合が多い。
【０００６】
この秘匿性を確保するために必要な設定の煩雑さも、ユーザが無線通信機能に対応した機器を所有しているにも関わらずその機能を使用しない一因と考えられている。
【０００７】
上記の背景に対して、無線通信の接続設定を簡単に実現する従来技術としては、例えば、Ｗｉ−Ｆｉ  Ａｌｌｉａｎｃｅ（登録商標）によって規格化されたＷｉ−Ｆｉ  Ｐｒｏｔｅｃｔｅｄ  Ｓｅｔｕｐ（以下、ＷＰＳという。）がある。
【０００８】
ＷＰＳのうち、Ｐｅｒｓｏｎａｌ  Ｉｄｅｎｔｉｆｉｃａｔｉｏｎ  Ｎｕｍｂｅｒ（以下、ＰＩＮという。）と呼ばれる方式と、Ｐｕｓｈ  Ｂｕｔｔｏｎ  Ｃｏｎｆｉｇｕｒａｔｉｏｎ（以下、ＰＢＣという。）と呼ばれる方式の２方式が特によく知られている。
【０００９】
ＰＩＮ方式では、設定情報を受け取る側の無線通信端末に一意に生成される８桁のＰＩＮコードを、設定情報を配布する側の無線通信端末に登録し、共有されたコードを用いて自動的に認証、鍵交換の接続設定を行う。一般的には、設定情報を配布する側がＡＰであり、暗号を受け取る側がクライアントとなる無線子機である。
【００１０】
ＰＩＮ方式は、認証方式や暗号鍵をユーザ自身で２つの端末に入力して設定する必要はなくなるものの、代わりに、設定情報を配布する側の端末に対して８桁のコードを入力しなければならない。コードを入力される側となるＡＰの多くはキーボード、テンキー、ディスプレイなどのユーザインターフェース（Ｕｓｅｒ  Ｉｎｔｅｒｆａｃｅ；以下、ＵＩという。）を有してないことから、ユーザは、ＰＣをＡＰに有線接続し、ＰＣからブラウザを利用してＡＰにコードを入力するなど煩雑な作業を必要とされる。
【００１１】
これに対して、ＰＢＣ方式は、２台の無線通信端末に備えられたボタンを順に押すことで端末に“００００００００”のコードをセットし、ＰＩＮ方式と同様のプロトコルで認証、鍵交換を行うものである。
【００１２】
ＰＢＣ方式では、上記ＰＩＮ方式でＰＩＮコードを無線通信端末に入力する煩雑さは軽減される。また、ＰＢＣ方式で用いるボタンは、無線通信端末の筐体に設けたボタンでもよく、グラフィカルユーザインターフェース（Ｇｒａｐｈｉｃａｌ  Ｕｓｅｒ  Ｉｎｔｅｒｆａｃｅ；以下、ＧＵＩという。）上に表示されるボタンでもよいので、ＵＩが十分でない無線通信端末であっても実現することが容易である。
【００１３】
しかし、ＰＢＣ方式で生成されるコードが“００００００００”という画一的かつ単純なものであるため、無線通信の秘匿性を高めるための認証や暗号鍵など接続設定自体が傍受される可能性があり、セキュリティ面で課題を有する。
【００１４】
さらに、ＰＩＮ方式およびＰＢＣ方式のいずれの方式においても、無線通信の接続設定を、通常の無線通信を行う場合と同様の広い通信範囲（通常通信エリア）で行うので、その通信範囲内に所望の無線通信端末とは別の無線通信端末があった場合には、その所望でない別の無線通信端末と接続設定を行ってしまうことがある。
【００１５】
図７は、ＰＩＮ方式およびＰＢＣ方式における、無線通信端末の配置とそれらの通信範囲を表している。
【００１６】
通信範囲２２１Ｎ、２２２Ｎ、２２３Ｎは、それぞれ、第１の無線通信端末２０１、第２の無線通信端末２０２、第３の無線通信端末２０３の無線通信が可能な範囲（通常通信エリア）を示している。
【００１７】
図７に示すように、第１の無線通信端末２０１の通信範囲２２１Ｎの中に第２の無線通信端末２０２および第３の無線通信端末２０３が含まれ、第２の無線通信端末２０２の通信範囲２２２Ｎおよび第３の無線通信端末２０３の通信範囲２２３Ｎのいずれにも第１の無線通信端末２０１が含まれる場合、第１の無線通信端末２０１は、第２の無線通信端末２０２に対して接続設定しようとしたときに、誤って所望でない第３の無線通信端末２０３と接続設定を行うかもしれない。
【００１８】
この課題に対し、無線通信端末の接続設定時は通常通信時と比べて電力を弱めることで通信範囲を限定し、接続設定時のセキュリティを高め、近傍にある無線通信端末と接続を容易に行わせる無線接続設定方法が提案されている（例えば、特許文献１参照）。
【００１９】
図８は、特許文献１に記載の無線接続設定方法で接続設定を行う際の、各無線通信端末の配置とそれらの通信範囲を表している。図７と同じ構成部分には、同じ符号を用いている。
【００２０】
２２１Ｓ、２２１Ｔ、２２１Ｕは、それぞれ、通常の通信エリア２２１Ｎよりも通信可能な範囲が小さい、第１の無線通信端末２０１のセキュリティ通信エリアを示している。また、２２２Ｓは、通常の通信エリア２２２Ｎよりも通信可能な範囲が小さい、第２の無線通信端末２０２のセキュリティ通信エリアを示している。
【００２１】
図８において、第１の無線通信端末２０１と第２の無線通信端末２０２の間で接続設定を行う際に使用する通信範囲であるセキュリティ通信エリア２２１Ｓおよび２２２Ｓを実線で示している。
【００２２】
第１の無線通信端末２０１は、第２の無線通信端末２０２との間で接続設定する際に、まず最も通信範囲の小さいセキュリティ通信エリア２２１Ｕにして、ｈｅｌｌｏメッセージを送信する。第１の無線通信端末２０１が送信したｈｅｌｌｏメッセージに対して、他の無線通信端末からの応答のｈｅｌｌｏメッセージを所定時間内に受信できなかった場合には、送信電力を大きくして通信範囲を大きくし、再度ｈｅｌｌｏメッセージを送信する。そして、応答のｈｅｌｌｏメッセージを受信するまで、同様に通信範囲を大きくしていく。
【００２３】
図８では、セキュリティ通信エリア２２１Ｓ内に第２の無線通信端末２０２が存在するので、通信範囲をセキュリティ通信エリア２２１Ｕ、２２１Ｔ、２２１Ｓと順に大きくしていき、セキュリティ通信エリア２２１Ｓとしたときに、第２の無線通信端末２０２から応答のｈｅｌｌｏメッセージが送信されてくる。
【００２４】
第１の無線通信端末２０１は、第２の無線通信端末２０２からの応答のｈｅｌｌｏメッセージを受信すると、接続設定のための通信範囲をセキュリティ通信エリア２２１Ｓと決定し、通常の通信エリア２２１Ｎおよび２２２Ｎよりも小さい、セキュリティ通信エリア２２１Ｓおよび２２２Ｓで、第２の無線通信端末２０２との接続設定処理を行う。
【００２５】
このように、接続設定時の通信範囲を、通常の通信エリアよりも限定したセキュリティエリアとすることによって、設定情報の過度な伝達を防ぎ、接続設定の秘匿性を高めている。
【先行技術文献】
【特許文献】
【００２６】
【特許文献１】特開２００８−１９９４６３号公報
【発明の概要】
【発明が解決しようとする課題】
【００２７】
しかしながら、上記した特許文献１の無線接続設定方法では、通常の通信エリアよりも限定したセキュリティ通信エリア内に接続設定すべき無線通信端末とは別の無線通信端末があった場合、その別の無線通信端末と接続設定を行ってしまう場合がある。
【００２８】
すなわち、特許文献１の無線接続設定方法では、接続設定するためのセキュリティ通信エリアを決定する際に、ｈｅｌｌｏメッセージという相手を特定しないデータの送受信を利用しているため、接続設定しようとする無線通信端末よりも近くに別の無線通信端末があった場合、その別の無線通信端末から応答のｈｅｌｌｏメッセージが送信され、その別の無線通信端末との間で接続設定を行ってしまう。
【００２９】
本発明は、従来の無線接続設定方法の課題を考慮して、データ漏洩防止効果が高く、所望の無線通信端末との間で確実に接続設定できる無線接続設定方法、無線通信システム、接続要求側無線通信端末および被接続要求側無線通信端末等を提供することを目的とする。
【課題を解決するための手段】
【００３０】
上述した課題を解決するために、第１の本発明は、
接続要求側無線通信端末および被接続要求側無線通信端末間の無線接続を設定する無線接続設定方法において、
前記接続要求側無線通信端末によって、入力されてくる第１の情報に基づいて所定のアルゴリズムで識別子を生成する識別子生成ステップと、
前記被接続要求側無線通信端末によって、入力されてくる第１の情報に基づいて前記所定のアルゴリズムで識別子を生成し、前記第１の情報に応じた強度の電波を放射するための送信電力を決定し、前記決定した送信電力で前記生成した識別子を含む電波を放射する識別子送信ステップと、
前記接続要求側無線通信端末によって、前記第１の情報が入力された後、電波を受信した場合、その電波に含まれる識別子を、自らが前記第１の情報に基づいて生成した前記識別子と比較し、一致していた場合には、その電波を放射した前記被接続要求側無線通信端末が接続すべき相手端末であると判定する第１接続相手判定ステップと、
前記接続要求側無線通信端末によって、前記第１の情報が入力された後、電波を受信しなかった場合、入力されてくる第２の情報に基づいて前記所定のアルゴリズムで識別子を生成するとともに、前記被接続要求側無線通信端末によって、入力されてくる第２の情報に基づいて前記所定のアルゴリズムで識別子を生成し、前記第２の情報に応じた強度の電波を放射するための送信電力を決定し、前記決定した送信電力で前記生成した識別子を含む電波を放射する識別子生成送信ステップと、
前記接続要求側無線通信端末によって、前記第２の情報が入力された後、電波を受信した場合、その電波に含まれる識別子を、自らが前記第２の情報に基づいて生成した前記識別子と比較し、一致していた場合には、その電波を放射した前記被接続要求側無線通信端末が接続すべき相手端末であると判定する第２接続相手判定ステップと、を少なくとも備え、
前記第２の情報に応じた電波の強度は、前記第１の情報に応じた電波の強度よりも強い、無線接続設定方法である。
【００３１】
また、第２の本発明は、
前記接続要求側無線通信端末によって、前記第１の情報に応じた強度の電波を放射するための送信電力を決定し、前記決定した送信電力で予め決められた所定の情報を含む電波を放射し、前記被接続要求側無線通信端末によって、前記所定の情報を含む電波を受信した場合、前記所定の情報の受信があったことを表示する第１所定情報送信受信表示ステップと、
前記接続要求側無線通信端末によって、前記第１の情報が入力された後、電波を受信しなかった場合、前記第２の情報に応じた強度の電波を放射するための送信電力を決定し、前記決定した送信電力で予め決められた所定の情報を含む電波を放射し、前記被接続要求側無線通信端末によって、前記所定の情報を含む電波を受信した場合、前記所定の情報の受信があったことを表示する第２所定情報送信受信表示ステップと、をさらに備えた、第１の本発明の無線接続設定方法である。
【００３２】
また、第３の本発明は、
第１の本発明の無線接続設定方法の、前記接続要求側無線通信端末によって、入力されてくる第１の情報に基づいて所定のアルゴリズムで識別子を生成する前記識別子生成ステップと、前記被接続要求側無線通信端末によって、入力されてくる第１の情報に基づいて前記所定のアルゴリズムで識別子を生成し、前記第１の情報に応じた強度の電波を放射するための送信電力を決定し、前記決定した送信電力で前記生成した識別子を含む電波を放射する前記識別子送信ステップと、前記接続要求側無線通信端末によって、前記第１の情報が入力された後、電波を受信した場合、その電波に含まれる識別子を、自らが前記第１の情報に基づいて生成した前記識別子と比較し、一致していた場合には、その電波を放射した前記被接続要求側無線通信端末が接続すべき相手端末であると判定する前記第１接続相手判定ステップと、前記接続要求側無線通信端末によって、前記第１の情報が入力された後、電波を受信しなかった場合、入力されてくる第２の情報に基づいて前記所定のアルゴリズムで識別子を生成するとともに、前記被接続要求側無線通信端末によって、入力されてくる第２の情報に基づいて前記所定のアルゴリズムで識別子を生成し、前記第２の情報に応じた強度の電波を放射するための送信電力を決定し、前記決定した送信電力で前記生成した識別子を含む電波を放射する前記識別子生成送信ステップと、前記接続要求側無線通信端末によって、前記第２の情報が入力された後、電波を受信した場合、その電波に含まれる識別子を、自らが前記第２の情報に基づいて生成した前記識別子と比較し、一致していた場合には、その電波を放射した前記被接続要求側無線通信端末が接続すべき相手端末であると判定する前記第２接続相手判定ステップとをコンピュータに実行させるプログラムである。
【００３３】
また、第４の本発明は、
第３の本発明のプログラムを記録した記録媒体であって、コンピュータにより処理可能な記録媒体である。
【００３４】
また、第５の本発明は、
接続要求側情報入力部、接続要求側識別子生成部、接続要求側電波受信部、および接続相手判定部を有する接続要求側無線通信端末と、被接続要求側情報入力部、被接続要求側識別子生成部、被接続要求側出力電力決定部、および識別子送信部を有する被接続要求側無線通信端末とが無線で接続される無線通信システムであって、
前記接続要求側無線通信端末および前記被接続要求側無線通信端末間の無線接続を設定する際には、
前記接続要求側情報入力部は、第１の情報を入力し、
前記接続要求側識別子生成部は、前記接続要求側情報入力部に入力された前記第１の情報に基づいて所定のアルゴリズムで識別子を生成し、
前記被接続要求側情報入力部は、第１の情報を入力し、
前記被接続要求側識別子生成部は、前記被接続要求側情報入力部に入力された前記第１の情報に基づいて前記所定のアルゴリズムで識別子を生成し、
前記被接続要求側出力電力決定部は、前記被接続要求側情報入力部に入力された前記第１の情報に応じた強度の電波を放射するための送信電力を決定し、
前記識別子送信部は、前記第１の情報に応じて決定された前記送信電力で、前記被接続要求側識別子生成部が前記第１の情報に基づいて生成した識別子を含む電波を放射し、
前記接続相手判定部は、前記接続要求側情報入力部に前記第１の情報が入力された後、前記接続要求側電波受信部が電波を受信した場合、その電波に含まれる識別子を、前記接続要求側識別子生成部が前記第１の情報に基づいて生成した識別子と比較し、一致していた場合には、その電波を放射した前記被接続要求側無線通信端末が接続すべき相手端末であると判定し、
前記接続要求側情報入力部は、前記第１の情報が入力された後、前記接続要求側電波受信部が電波を受信しなかった場合、第２の情報が入力され、
前記接続要求側識別子生成部は、前記接続要求側情報入力部に入力された前記第２の情報に基づいて前記所定のアルゴリズムで識別子を生成し、
前記被接続要求側情報入力部は、前記第１の情報が入力された後、前記接続要求側電波受信部が電波を受信しなかった場合、第２の情報が入力され、
前記被接続要求側識別子生成部は、前記被接続要求側情報入力部に入力された前記第２の情報に基づいて前記所定のアルゴリズムで識別子を生成し、
前記被接続要求側出力電力決定部は、前記被接続要求側情報入力部に入力された前記第２の情報に応じた強度の電波であって、前記第１の情報に応じた電波の強度よりも強い電波を放射するための送信電力を決定し、
前記識別子送信部は、前記第２の情報に応じて決定された前記送信電力で、前記被接続要求側識別子生成部が前記第２の情報に基づいて生成した識別子を含む電波を放射し、
前記接続相手判定部は、前記接続要求側情報入力部に前記第２の情報が入力された後、前記接続要求側電波受信部が電波を受信した場合、その電波に含まれる識別子を、前記接続要求側識別子生成部が前記第２の情報に基づいて生成した識別子と比較し、一致していた場合には、その電波を放射した前記被接続要求側無線通信端末が接続すべき相手端末であると判定する、無線通信システムである。
【００３５】
また、第６の本発明は、
前記接続要求側無線通信端末は、
前記接続要求側情報入力部に入力された前記第１の情報に応じた強度の電波を放射するための送信電力を決定する接続要求側出力電力決定部と、
前記接続要求側出力電力決定部が前記第１の情報に応じて決定した前記送信電力で、予め決められた所定の情報を含む電波を放射する所定情報送信部とを有し、
前記被接続要求側無線通信端末は、
前記所定の情報を含む電波を受信する被接続要求側電波受信部と、
前記被接続要求側電波受信部が、前記所定の情報を含む電波を受信した場合、前記所定の情報の受信があったことを表示する所定情報受信通知部とを有し、
前記被接続要求側情報入力部に前記第２の情報が入力された場合には、
前記接続要求側出力電力決定部は、前記接続要求側情報入力部に入力された前記第２の情報に応じた強度の電波を放射するための送信電力を決定し、
前記所定情報送信部は、前記接続要求側出力電力決定部が前記第２の情報に応じて決定した前記送信電力で、予め決められた所定の情報を含む電波を放射し、
前記所定情報受信通知部は、前記被接続要求側電波受信部が、前記所定の情報を含む電波を受信した場合、前記所定の情報の受信があったことを表示する、第５の本発明の無線通信システムである。
【００３６】
また、第７の本発明は、
前記第１の情報および前記第２の情報は、数値である、第５または第６の本発明の無線通信システムである。
【００３７】
また、第８の本発明は、
前記第１の情報および前記第２の情報は、数値であり、
前記予め決められた所定の情報とは、前記第１の情報または前記第２の情報の桁数である、第６の本発明の無線通信システムである。
【００３８】
また、第９の本発明は、
前記第１の情報に応じた電波の強度および前記第２の情報に応じた電波の強度は、対応する前記第１の情報および前記第２の情報の桁数が多いほど強い、第７または第８の本発明の無線通信システムである。
【００３９】
また、第１０の本発明は、
前記接続要求側無線通信端末は、
前記被接続要求側出力電力決定部が、予め決められた上限の桁数に対応する強度の電波を放射するための送信電力を決定し、前記識別子送信部が、その送信電力で電波を放射したときに、前記接続要求側電波受信部がその電波を受信できない場合には、前記被接続要求側無線通信端末との距離を近づけるように警告を発する警告通知部を有する、第９の本発明の無線通信システムである。
【００４０】
また、第１１の本発明は、
被接続要求側無線通信端末との間の無線接続を設定する際に、第１の情報を入力する接続要求側情報入力部と、
前記接続要求側情報入力部に入力された前記第１の情報に基づいて所定のアルゴリズムで識別子を生成する接続要求側識別子生成部と、
前記被接続要求側無線通信端末が放射した電波を受信する接続要求側電波受信部と、
前記被接続要求側無線通信端末によって、前記被接続要求側無線通信端末に入力された前記第１の情報に基づいて前記所定のアルゴリズムで識別子が生成され、前記入力された前記第１の情報に応じた強度で放射された前記生成された識別子を含む電波を、前記接続要求側情報入力部に前記第１の情報が入力された後に、前記接続要求側電波受信部が受信した場合、その電波に含まれる識別子を、前記接続要求側識別子生成部が前記第１の情報に基づいて生成した識別子と比較し、一致していた場合には、その電波を放射した前記被接続要求側無線通信端末が接続すべき相手端末であると判定する接続相手判定部とを備え、
前記接続要求側情報入力部に前記第１の情報が入力された後に、前記接続要求側電波受信部が、前記被接続要求側無線通信端末によって放射された前記電波を受信しなかった場合、
前記接続要求側識別子生成部は、前記接続要求側情報入力部に入力された第２の情報に基づいて前記所定のアルゴリズムで識別子を生成し、
前記被接続要求側無線通信端末によって、前記被接続要求側無線通信端末に入力された前記第２の情報に基づいて前記所定のアルゴリズムで識別子が生成され、前記入力された前記第２の情報に応じた強度で放射された前記生成された識別子を含む電波であって、前記第１の情報に応じた電波の強度よりも強い電波を、前記接続要求側電波受信部が受信した場合、前記接続相手判定部は、その電波に含まれる識別子を、前記接続要求側識別子生成部が前記第２の情報に基づいて生成した識別子と比較し、一致していた場合には、その電波を放射した前記被接続要求側無線通信端末が接続すべき相手端末であると判定する、接続要求側無線通信端末である。
【００４１】
また、第１２の本発明は、
接続要求側無線通信端末との間の無線接続を設定する際に、第１の情報または第２の情報を入力する被接続要求側情報入力部と、
前記被接続要求側情報入力部に入力された前記第１の情報または前記第２の情報に基づいて所定のアルゴリズムで識別子を生成する被接続要求側識別子生成部と、
前記被接続要求側情報入力部に入力された前記第１の情報に応じた強度の電波または前記第２の情報に応じた強度の電波を放射するための送信電力を決定する被接続要求側出力電力決定部と、
前記第１の情報または前記第２の情報に応じて決定された前記送信電力で、前記被接続要求側識別子生成部が前記第１の情報または前記第２の情報に基づいて生成した識別子を含む電波を放射する識別子送信部とを備えた被接続要求側無線通信端末である。
【発明の効果】
【００４２】
本発明により、データ漏洩防止効果が高く、所望の無線通信端末との間で確実に接続設定できる無線接続設定方法、無線通信システム、接続要求側無線通信端末および被接続要求側無線通信端末等を提供できる。
【図面の簡単な説明】
【００４３】
【図１】本発明の実施の形態１および実施の形態２の無線通信システムを構成する無線通信端末のブロック図
【図２】本発明の実施の形態１の、各無線通信端末における処理フローチャート
【図３】本発明の実施の形態１および実施の形態２における無線通信端末の配置とそれらの通信範囲を表した図
【図４】本発明の実施の形態１および実施の形態２における無線通信端末の配置とそれらの通信範囲を表した図
【図５】本発明の実施の形態１および実施の形態２における無線通信端末の配置とそれらの通信範囲を表した図
【図６】本発明の実施の形態２の、各無線通信端末における処理フローチャート
【図７】従来のＰＩＮ方式およびＰＢＣ方式における無線通信端末の配置とそれらの通信範囲を表した図
【図８】従来の無線接続設定方法で接続設定を行う際の、各無線通信端末の配置とそれらの通信範囲を表した図
【発明を実施するための形態】
【００４４】
以下、本発明の実施の形態について図面を参照しながら説明する。
【００４５】
（実施の形態１）
図１に、本発明の実施の形態１の無線通信システムを構成する無線通信端末のブロック図を示す。本実施の形態１の無線通信システムは、２台以上の複数の無線通信端末で構成されるが、ここでは、接続設定を行う２台の無線通信端末１０および２０のみを記載している。
【００４６】
図２は、本実施の形態１で、無線通信端末１０と無線通信端末２０間で無線接続設定を行う際の、無線通信端末１０および２０における各処理のフローチャートを無線通信端末別に示している。ここでは、接続設定を要求する側の端末を無線通信端末１０とし、それに応答する側の端末を無線通信端末２０としている。
【００４７】
図１および図２を用いて、本実施の形態１の無線通信システムにおける無線接続設定方法を、無線通信端末１０および２０の構成とともに説明する。
【００４８】
なお、図１において、無線通信端末１０が本発明の接続要求側無線通信端末の一例にあたり、無線通信端末２０が本発明の被接続要求側無線通信端末の一例にあたる。また、情報入力部１１、ＩＤ生成部１２、出力電力決定部１４、無線信号送信部１５、無線信号受信部１６および接続先端末判定部１７が、それぞれ本発明の、接続要求側情報入力部、接続要求側識別子生成部、接続要求側出力電力決定部、所定情報送信部、接続要求側電波受信部、および接続相手判定部の一例にあたる。また、情報入力部２１、ＩＤ生成部２２、出力電力決定部２４、無線信号送信部２５、無線信号受信部２６および受信情報表示部２８が、それぞれ本発明の、被接続要求側情報入力部、被接続要求側識別子生成部、被接続要求側出力電力決定部、識別子送信部、被接続要求側電波受信部、および所定情報受信通知部の一例にあたる。また、受信情報表示部１８が、本発明の警告通知部の一例にあたる。
【００４９】
図３〜図５は、それぞれ、無線通信端末１０および２０の配置とそれらの通信範囲を表した図である。図３、図４、図５の順に、無線通信端末１０と無線通信端末２０間の距離が遠くなっている。
【００５０】
図３〜図５において、２１１Ａ、２１１Ｂ、２１１Ｃ、および２１１Ｚは、それぞれ、無線通信端末１０から、送信電力Ｐ１、Ｐ２、Ｐ３、および最大送信電力Ｐｍａｘでパケットを送信したときのパケットの届く通信範囲を示している。同様に、２１２Ａ、２１２Ｂ、２１２Ｃ、および２１２Ｚは、それぞれ、無線通信端末２０から、送信電力Ｐ１、Ｐ２、Ｐ３、および最大送信電力Ｐｍａｘでパケットを送信したときのパケットの届く通信範囲を示している。送信電力が大きいほど、電波強度が強くなり、パケットの届く通信範囲が広くなる。
【００５１】
まず、図３のように無線通信端末２０が無線通信端末１０の近傍に配置されている場合の無線接続方法について説明する。
【００５２】
ユーザが無線通信端末１０に対して接続設定の開始を指示すると、無線通信端末１０は、受信情報表示部１８によってユーザに対して任意の数値ａを入力するように要求する（ステップＳ１０１）。ユーザに入力要求するための受信情報表示部１８による表示は、液晶画面などによる表示であってもよいし、ＬＥＤの点灯、点滅、色分けなどによって通知するものであってもよい。
【００５３】
ここで、ユーザが接続設定の開始を指示する方法は、例えば無線通信端末１０の筐体に備えられたスイッチやボタンを用いる方法でも、ソフトウェアで特殊なコマンドを入力する方法でもよく、その方法は限定しない。
【００５４】
ユーザは、情報入力部１１へ任意の数値を入力する。数値の入力は、キーボード、テンキー、リモコンなど予め数字のキーを持つ装置によっても、特定のボタンを押す回数によっても、ＧＵＩによってもよい。例として、情報入力部１１はＧＵＩによるものとし、そのＧＵＩによりユーザから１桁の数値“５”が入力されたものとする。
【００５５】
無線通信端末１０のＩＤ生成部１２は、情報入力部１１に入力された数値“５”から、定められた方法によって、ＩＤとして“ＩＤ１”を生成し、記憶部１３に格納する。さらに、出力電力決定部１４は、入力された数値“５”の桁数を判定し、送信電力を桁数Ｎ（＝１）に対応したＰ１に設定する（ステップＳ１０２）。
【００５６】
送信電力Ｐ１は、もちろん無線通信端末１０の最大送信電力Ｐｍａｘより小さく、図３に示すように、送信電力Ｐ１で送信したパケットが届く通信範囲２１１Ａは、送信電力Ｐｍａｘで送信したパケットが届く通信範囲２１１Ｚより狭い。
【００５７】
なお、情報入力部１１へ入力する１桁の数値“５”が、本発明の第１の情報の一例にあたる。また、ＩＤ生成部１２で生成されるＩＤが、本発明の識別子の一例にあたる。また、ここでＩＤ生成部１２が“ＩＤ１”を生成する処理が、本発明の識別子生成ステップの一例にあたる。
【００５８】
そして、無線信号送信部１５は、情報入力部１１に入力された数値の桁数Ｎが１であることを示す情報を含んだ要求パケットを送信する（ステップＳ１０３）。このときの要求パケットの宛先は、ある特定の端末に限定されたものではない。
【００５９】
その後、無線通信端末１０の無線信号受信部１６は、送信した要求パケットに対する応答パケットの到着を待つ（ステップＳ１０４）。
【００６０】
一方、無線通信端末２０は、無線信号受信部２６が、宛先が限定されていない要求パケットを受信すると接続設定を開始する（ステップＳ１２１）。
【００６１】
まず、無線通信端末２０は、受信情報表示部２８によって無線通信端末１０に入力された数値と同じＮ桁（この場合１桁）の数値ｂを入力するようにユーザに対して要求する（ステップＳ１２２）。この桁数Ｎは、無線通信端末１０が要求パケットに含めて送信してくることで、無線通信端末２０に対して通知される。
【００６２】
なお、要求パケットに含める桁数Ｎの情報が、本発明の予め決められた所定の情報の一例にあたる。また、上記で出力電力決定部１４が、入力された数値“５”の桁数を判定して送信電力を設定する処理、ステップＳ１０３の処理、およびステップＳ１２２の処理を合わせた処理が、本発明の第１所定情報送信受信表示ステップの一例にあたる。
【００６３】
ユーザは、情報入力部２１へ１桁の数値ｂを入力する。例えば、無線通信端末２０のＵＩが十分でなくボタンをひとつだけ備えるものとすれば、ユーザは、無線通信端末１０の情報入力部１１へ入力したものと同じ数値“５”を入力するために、情報入力部２１への入力として、ボタンを短く５回押し、最後に桁の終了を示すボタンの長押しを行う。このようにすれば、桁数が大きくなった場合でも、ユーザはひとつのボタンで容易に数値を入力することができる。
【００６４】
無線通信端末２０のＩＤ生成部２２は、情報入力部２１へ入力された数値“５”から、定められた方法によって、ＩＤとして“ＩＤ２”を生成し、記憶部２３に格納する。ＩＤを生成する方法は、もちろん無線通信端末１０と共通するものでなければならず、例えば共通するアルゴリズムにより算出するものであり、数値“５”から生成される“ＩＤ１”と“ＩＤ２”は同じである。さらに、出力電力決定部２４は、送信電力を桁数Ｎ（＝１）に対応したＰ１に設定する（ステップＳ１２３）。
【００６５】
送信電力Ｐ１は、もちろん無線通信端末２０の最大送信電力Ｐｍａｘより小さく、図３に示すように、送信電力Ｐ１で送信したパケットが届く通信範囲２１２Ａは、送信電力Ｐｍａｘで送信したパケットが届く通信範囲２１２Ｚより狭い。
【００６６】
そして、無線信号送信部２５は、記憶部２３に保持しておいた“ＩＤ２”を読み込み、その“ＩＤ２”を含む応答パケットを送信する（ステップＳ１２４）。このときの応答パケットの宛先は、要求パケットとは異なり、要求パケットを送信した端末である無線通信端末１０に限定される。
【００６７】
なお、このときのステップＳ１２３およびステップＳ１２４を合わせた処理が、本発明の識別子送信ステップの一例にあたる。
【００６８】
その後、無線通信端末２０の無線信号受信部２６は、無線通信端末１０からの最初の設定パケットの到着を待つ（ステップＳ１２５）。
【００６９】
無線通信端末１０は、無線信号受信部１６が応答パケットを受信する（ステップＳ１０４）と、接続先端末判定部１７が、自端末が生成して記憶部１３に保持している“ＩＤ１”と、応答パケットに含まれる“ＩＤ２”とを比較する（ステップＳ１０５）。接続先端末判定部１７は、“ＩＤ１”と“ＩＤ２”が一致すれば、無線通信端末１０自身が送信した要求パケットに対する応答が到着し、接続設定をすべき相手が無線通信端末２０であると判断し、無線信号送信部１５は、応答パケットの送信元である無線通信端末２０に対して、一致したＩＤ（つまり、“ＩＤ１”、“ＩＤ２”と同じものである。）を含めた設定パケットを送信する（ステップＳ１０６）。
【００７０】
なお、このとき接続先端末判定部１７が接続設定すべき相手端末を判定する処理が、本発明の第１接続相手判定ステップの一例にあたる。
【００７１】
無線通信端末２０も、無線信号受信部２６が最初の設定パケットを受信すると、無線通信端末１０との接続設定を開始する（ステップＳ１２５）。
【００７２】
その後、無線通信端末１０と無線通信端末２０は、設定パケットの交換を続け、認証、鍵交換などの接続設定を完了させる（ステップＳ１０７およびステップＳ１２６）。
【００７３】
なお、ステップＳ１２５において、一定期間待っていても無線通信端末１０からの設定パケットが無線信号受信部２６に到着しなかった場合には（ステップＳ１２７）、入力する数値を間違えたものと判断して、無線通信端末２０における接続設定処理を終了する。このとき、受信情報表示部２８により、接続設定処理を完了できず異常終了したことをユーザに通知する。
【００７４】
図３に示すような無線通信端末１０および２０の配置の場合は、通信範囲２１１Ａおよび２１２Ａ内に相手の無線通信端末１０および２０が存在するので、ここで接続設定が完了する。
【００７５】
次に、図４に示すような無線通信端末１０および２０の配置の場合における無線接続設定方法について説明する。
【００７６】
この場合、無線通信端末２０が無線通信端末１０の通信範囲２１１Ａ内に存在せず、上記したステップＳ１２１において無線通信端末２０の無線信号受信部２６が無線通信端末１０からの要求パケットを受信できないので、接続設定が完了しない。
【００７７】
無線通信端末１０は、自端末が生成して記憶部１３に保持している“ＩＤ１”と同じＩＤを含む応答パケットが、一定期間待っていても無線信号受信部１６に到着しなかった場合には（ステップＳ１０８）、送信電力が低く相手端末に要求パケットが届かなかった、もしくは、入力する数値を間違えたものと判断して、接続設定のやり直しを行う。
【００７８】
このとき、無線通信端末１０は、受信情報表示部１８によって再度ユーザに対し数値の入力を要求する。ただし、要求パケットの送信電力を大きくするために、前回の要求パケット送信時に入力された数値の桁数より大きな桁数の数値を要求する。これは、要求パケット、応答パケット、設定パケットの認証を行うためのＩＤが一致する可能性を低くして、送信電力を大きくしても一定の秘匿性を確保するようにするためである。
【００７９】
例えば、最初に１桁の数値“５”が入力された無線通信端末１０は、１桁増加させた２桁の数値を要求しようとする（ステップＳ１０９）。ここで、再入力を要求しようとする数値の桁数Ｎが、予め設定している桁数の閾値を超えていないかをチェックする（ステップＳ１１０）。桁数の閾値は、自端末の送信電力を最大のＰｍａｘに設定する際に入力される桁数Ｎｍａｘである。
【００８０】
なお、予め設定している桁数の閾値が、本発明の予め決められた上限の桁数の一例にあたる。
【００８１】
再入力を要求しようとする数値の桁数Ｎが、予め設定している桁数の閾値Ｎｍａｘを超えていなければ（ステップＳ１１０）、無線通信端末１０は、受信情報表示部１８によってユーザに対して２桁の数値ａの再入力を要求する（ステップＳ１１１）。
【００８２】
上記と同様ＧＵＩにより、情報入力部１１に数値、例えば“３７”が入力され、２桁の数値が入力された無線通信端末１０は、上記ステップＳ１０２、ステップＳ１０３の処理を繰り返す。
【００８３】
なお、このときに前回よりも桁数を多くして情報入力部１１へ入力する２桁の数値が、本発明の第２の情報の一例にあたる。
【００８４】
これに伴い、桁数Ｎが２であることを示す情報を含んだ要求パケットを無線信号受信部２６が受信するので（ステップＳ１２１）、無線通信端末２０側でも受信情報表示部２８によって２桁の数値ｂの入力が要求される（ステップＳ１２２）。ユーザは、２桁の数値“３７”を入力するために、上記同様の手順で、ボタンを短く３回押し、桁の終了を示すボタンを長押しし、さらに、ボタンを短く７回押し、桁の終了を示すボタンの長押しを行う。
【００８５】
無線通信端末１０および２０に入力される数値が２桁となるので、通信範囲は図４に示すそれぞれ２１１Ｂ、２１２Ｂまで広がり、図４のような無線通信端末１０および２０の配置の場合でも、接続設定を完了させることができる。
【００８６】
なお、ここでＩＤ生成部１２が２桁の数値“３７”から“ＩＤ１”を生成する処理、情報入力部２１に入力された２桁の数値“３７”にしたがって行うステップＳ１２３およびステップＳ１２４の処理を合わせた処理が、本発明の識別子生成送信ステップの一例にあたる。また、このとき接続先端末判定部１７が、２桁の数値“３７”から生成された“ＩＤ１”と比較して接続設定をすべき相手端末を判定するステップＳ１０５の処理が、本発明の第２接続相手判定ステップの一例にあたる。
【００８７】
また、ここで出力電力決定部１４が、入力された２桁の数値“３７”の桁数を判定して送信電力を設定する処理、“２桁”という情報を含む要求パケットを送信するステップＳ１０３の処理、および受信情報表示部２８がユーザに２桁の数値ｂを入力する要求を表示する処理を合わせた処理が、本発明の第２所定情報送信受信表示ステップの一例にあたる。
【００８８】
次に、図５に示すような無線通信端末１０および２０の配置の場合における無線接続設定方法について説明する。この場合、無線通信端末２０は、無線通信端末１０が送信電力Ｐｍａｘで送信したパケットが届く通信範囲２１１Ｚよりも遠い位置に配置されている。
【００８９】
したがって、この場合、例えば、Ｎｍａｘを４とすると、４桁の数値が入力されて送信電力が最大のＰｍａｘ、通信範囲が２１１Ｚおよび２１２Ｚとなっても、相手端末はその範囲内に入らず、要求パケットの正常な送受信は不可能である。
【００９０】
このとき、ステップＳ１０９において無線通信端末１０がユーザに対して再入力を要求しようとする数値の桁数は５となり、予め設定している桁数の閾値Ｎｍａｘの４を超えるので（ステップＳ１１０）、無線通信端末１０は、相手端末が自端末の通信範囲に存在しないと判断して、受信情報表示部１８によって、ユーザに対して２台の無線通信端末１０および２０同士を近づけるように要求する表示をする（ステップＳ１１２）。この場合、２台の無線通信端末１０および２０同士を近づけることをユーザに通知できればよく、表示する代わりにブザーや音声出力などでユーザに警告するようにしてもよい。
【００９１】
以上のようにして、接続設定時に相手端末との無線通信の可否を判断し、無線通信端末が離れている場合には、ユーザに対してその旨を通知し、無線通信端末同士を接続できるように誘導することができる。
【００９２】
なお、本実施の形態１では、ステップＳ１０８において、応答パケットが到着しなかったことを、要求パケットを送信した後に一定期間待っても到着しなかったこと（タイムアウト）によって判断することとしたが、応答パケット到着確認用ボタンなどを設けておき、そのボタンを押したときに応答パケットが到着しているか到着していないかをユーザに通知するようにしてもよい。例えば、ＬＥＤを色分けして発光するなどの簡単な構成で、応答パケットの到着有無をユーザに通知することができる。また、応答パケット到着確認用ボタンを押したときに応答パケットが到着していなかった場合、再度の数値ａの入力を要求する（ステップＳ１１１）ようにしてもよい。
【００９３】
また、本実施の形態１では、ステップＳ１０１における任意の数値ａの入力要求に対して、１桁の数値“５”を入力した場合について説明したが、最初に情報入力部１１に入力する任意の数値ａとして、２桁以上の数値を入力するようにしてもよい。利用者が、無線通信端末１０と無線通信端末２０間の距離を見て、明らかに小さい送信電力ではパケットが届かないと判断した場合、ある程度送信電力の大きい桁数の数値を最初から入力することにより、繰り返し数値を入力する手間が省け、短時間で接続設定処理を完了することができる。
【００９４】
また、本実施の形態１では、予め決められた所定の情報として情報入力部１１に入力された数値の桁数Ｎを用いることとして説明したが、この所定の情報として他の情報を用いてもよい。例えば、情報入力部１１に入力する情報をアルファベットと数字で構成される文字データとし、所定の情報を、その文字データの文字数としてもよい。
【００９５】
（実施の形態２）
図６に、本発明の実施の形態２の無線通信システムにおける、無線通信端末１０と無線通信端末２０間で無線接続設定を行う際の、無線通信端末１０および２０における各処理のフローチャートを無線通信端末別に示している。ここでは、接続設定を要求する側の端末を無線通信端末１０とし、それに応答する側の端末を無線通信端末２０としている。
【００９６】
なお、本実施の形態２の無線通信システムを構成する無線通信端末の構成は、実施の形態１と同様であり、そのブロック図は、図１に示す通りである。
【００９７】
図１および図３〜図６を用いて、本実施の形態２の無線通信システムにおける無線接続設定方法について説明する。
【００９８】
実施の形態１では、接続設定に応答する側の無線通信端末２０が、無線通信端末１０からの要求パケットに対して応答パケットを送信したのに対し、本実施の形態２では、無線通信端末２０が、無線通信端末１０からの要求パケット無しに応答パケットを送信する点が実施の形態１と異なる。
【００９９】
ユーザが無線通信端末１０に対して接続設定の開始を指示すると、無線通信端末１０は、受信情報表示部１８によってユーザに対して任意の数値ａを入力するように要求する（ステップＳ１３１）。ユーザは、情報入力部１１へ任意の数値を入力する。ここでは例として、情報入力部１１に、ユーザから１桁の数値“５”が入力されたものとする。
【０１００】
無線通信端末１０のＩＤ生成部１２は、情報入力部１１に入力された数値“５”から、定められた方法によって、ＩＤとして“ＩＤ１”を生成し、記憶部１３に格納する。さらに、出力電力決定部１４は、入力された数値“５”の桁数を判定し、送信電力を桁数Ｎ（＝１）に対応したＰ１に設定する（ステップＳ１３２）。
【０１０１】
そして、無線通信端末１０の無線信号受信部１６は、無線通信端末２０からの応答パケットの到着を待つ（ステップＳ１３３）。
【０１０２】
一方、無線通信端末２０においても、ユーザが接続設定の開始を指示する。ここで、ユーザが接続設定の開始を指示する方法は、例えば無線通信端末２０の筐体に備えられたスイッチやボタンを用いる方法でも、ソフトウェアで特殊なコマンドを入力する方法でもよく、その方法は限定しない。
【０１０３】
無線通信端末２０は、接続設定の開始の指示を受けると、受信情報表示部２８によってユーザに対して接続要求側の無線通信端末１０に入力したものと同じ数値ｂを入力するように要求する（ステップＳ１５１）。ユーザは、情報入力部２１へ、情報入力部１１へ入力したものと同じ１桁の数値“５”を入力する。
【０１０４】
無線通信端末２０のＩＤ生成部２２は、情報入力部２１へ入力された数値“５”から、定められた方法によって、ＩＤとして“ＩＤ２”を生成し、記憶部２３に格納する。ＩＤを生成する方法は、無線通信端末１０と共通するものであり、例えば共通するアルゴリズムにより算出するものであり、数値“５”から生成される“ＩＤ１”と“ＩＤ２”は同じである。さらに、出力電力決定部２４は、送信電力を桁数Ｎ（＝１）に対応したＰ１に設定する（ステップＳ１５２）。
【０１０５】
そして、無線信号送信部２５は、記憶部２３に保持しておいた“ＩＤ２”を読み込み、その“ＩＤ２”を含む応答パケットを送信する（ステップＳ１５３）。このときの応答パケットの宛先は、実施の形態１で送信する応答パケットとは異なり、ある特定の端末に限定されたものではない。
【０１０６】
その後、無線通信端末２０の無線信号受信部２６は、無線通信端末１０からの最初の設定パケットの到着を待つ（ステップＳ１５４）。
【０１０７】
無線通信端末１０は、無線信号受信部１６が応答パケットを受信する（ステップＳ１３３）と、接続先端末判定部１７が、自端末が生成して記憶部１３に保持している“ＩＤ１”と、応答パケットに含まれる“ＩＤ２”とを比較する（ステップＳ１３４）。接続先端末判定部１７は、“ＩＤ１”と“ＩＤ２”が一致すれば、接続設定をすべき相手が応答パケットを送信してきた無線通信端末２０であると判断し、無線信号送信部１５は、応答パケットの送信元である無線通信端末２０に対して、一致したＩＤ（つまり、“ＩＤ１”、“ＩＤ２”と同じものである。）を含めた設定パケットを送信する（ステップＳ１３５）。
【０１０８】
無線通信端末２０も、無線信号受信部２６が最初の設定パケットを受信すると、無線通信端末１０との接続設定を開始する（ステップＳ１５４）。
【０１０９】
その後、無線通信端末１０と無線通信端末２０は、設定パケットの交換を続け、認証、鍵交換などの接続設定を完了させる（ステップＳ１３６およびステップＳ１５５）。
【０１１０】
図３に示すような無線通信端末１０および２０の配置の場合は、通信範囲２１１Ａおよび２１２Ａ内に相手の無線通信端末１０および２０が存在するので、ここで接続設定が完了する。
【０１１１】
次に、図４に示すような無線通信端末１０および２０の配置の場合における無線接続設定方法について説明する。
【０１１２】
この場合、無線通信端末１０が無線通信端末２０の通信範囲２１２Ａ内に存在せず、ステップＳ１３３において無線通信端末１０の無線信号受信部１６が無線通信端末２０からの応答パケットを受信できないので、接続設定が完了しない。
【０１１３】
無線通信端末１０には、応答パケット到着確認用ボタンが設けられており、このときに応答パケット到着確認用ボタンをユーザが押すと、受信情報表示部１８によって、応答パケットを受信していない旨が表示される（ステップＳ１３７）。
【０１１４】
そして、無線通信端末１０は、受信情報表示部１８によって再度ユーザに対し数値の入力を要求する。ただし、要求パケットの送信電力を大きくするために、前回の要求パケット送信時に入力された数値の桁数より大きな桁数の数値を要求する。
【０１１５】
例えば、最初に１桁の数値“５”が入力された無線通信端末１０は、１桁増加させた２桁の数値を要求しようとする（ステップＳ１３８）。ここで、再入力を要求しようとする数値の桁数Ｎが、予め設定している桁数の閾値を超えていないかをチェックする（ステップＳ１３９）。桁数の閾値は、自端末の送信電力を最大のＰｍａｘに設定する際に入力される桁数Ｎｍａｘである。
【０１１６】
再入力を要求しようとする数値の桁数Ｎが、予め設定している桁数の閾値Ｎｍａｘを超えていなければ（ステップＳ１３９）、無線通信端末１０は、受信情報表示部１８によってユーザに対して２桁の数値ａの再入力を要求する（ステップＳ１４０）。
【０１１７】
情報入力部１１に数値、例えば“３７”が入力されると、無線通信端末１０は、その２桁の数値を用いてステップＳ１３２の処理を行った後、無線通信端末２０からの応答パケットの到着を待つ（ステップＳ１３３）。
【０１１８】
一方、無線通信端末２０側では、ステップＳ１５４において、一定期間待っていても無線通信端末１０からの設定パケットが無線信号受信部２６に到着しないので（ステップＳ１５６）、送信電力が低く相手端末に応答パケットが届かなかった、もしくは、入力する数値を間違えたものと判断して、無線通信端末２０における接続設定処理を一旦終了する。このとき、受信情報表示部２８により、接続設定処理を完了せず異常終了したことをユーザに通知する。
【０１１９】
ユーザは、接続設定処理が完了しなかったことを確認すると、無線通信端末２０に対して再度接続設定の開始を指示する。
【０１２０】
無線通信端末２０は、再度の接続設定の開始の指示を受けると、受信情報表示部２８によってユーザに対して接続要求側の無線通信端末１０に入力したものと同じ数値ｂを入力するように要求する（ステップＳ１５１）。このとき、ユーザは、情報入力部２１へ、情報入力部１１に入力したものと同じ２桁の数値“３７”を入力する。
【０１２１】
無線通信端末１０および２０に入力される数値が２桁となるので、通信範囲は図４に示すそれぞれ２１１Ｂ、２１２Ｂまで広がり、図４のような無線通信端末１０および２０の配置の場合でも、接続設定を完了させることができる。
【０１２２】
次に、図５に示すような無線通信端末１０および２０の配置の場合における無線接続設定方法について説明する。
【０１２３】
この場合、例えば、Ｎｍａｘを４とすると、４桁の数値が入力されて送信電力が最大のＰｍａｘ、通信範囲が２１１Ｚおよび２１２Ｚとなっても、相手端末はその範囲内に入らず、応答パケットの正常な送受信は不可能である。
【０１２４】
このとき、ステップＳ１３８において無線通信端末１０がユーザに対して再入力を要求しようとする数値の桁数は５となり、予め設定している桁数の閾値Ｎｍａｘの４を超えるので（ステップＳ１３９）、無線通信端末１０は、相手端末が自端末の通信範囲に存在しないと判断して、受信情報表示部１８によって、ユーザに対して２台の無線通信端末１０および２０同士を近づけるように要求する表示をする（ステップＳ１４１）。
【０１２５】
なお、本実施の形態２では、ステップＳ１３１における任意の数値ａの入力要求に対して、１桁の数値“５”を入力した場合について説明したが、最初に情報入力部１１に入力する任意の数値ａとして、２桁以上の数値を入力するようにしてもよい。
【０１２６】
なお、各実施の形態では、最大のＰｍａｘに設定する際に入力される桁数Ｎｍａｘを４として説明したが、Ｎｍａｘは、３以下としてもよいし、５以上としてもよい。桁数を多くすると、情報入力部１１および２１への入力に手間がかかるが、秘匿性は高くなる。
【０１２７】
また、各実施の形態では、ステップＳ１０９やステップＳ１３８において、入力する数値の桁数を１桁ずつ増加させることとしたが、１桁ずつに限らず、例えば２桁ずつなど、複数桁ずつ増加させるようにしてもよい。
【０１２８】
また、各実施の形態では、情報入力部１１および２１に入力する情報を数値としたが、アルファベットを含む文字データなどを入力するようにしてもよい。
【０１２９】
また、各実施の形態では、受信情報表示部１８および２８で、無線通信端末１０および２０の状態やユーザへの通知情報などを表示することとして説明したが、表示する代わりに、ブザーや音声出力などでユーザに通知するようにしてもよい。
【０１３０】
また、各実施の形態では、無線通信端末１０を接続設定を要求する側の端末とし、無線通信端末２０を接続設定に応答する側の端末として説明したが、無線通信端末１０の、情報入力部１１、ＩＤ生成部１２、出力電力決定部１４、無線信号送信部１５、無線信号受信部１６、接続先端末判定部１７および受信情報表示部１８のそれぞれと、無線通信端末２０の、情報入力部２１、ＩＤ生成部２２、出力電力決定部２４、無線信号送信部２５、無線信号受信部２６、接続先端末判定部２７および受信情報表示部２８のそれぞれに、互いの機能を備えさせることにより、無線通信端末２０側から無線通信端末１０に対しても接続設定を要求するようにできる。
【０１３１】
また、各実施の形態において、図１に示した無線通信端末１０および２０の各部の機能は、ハードウェアで実現することもできるし、ＣＰＵによってプログラムを実行させ、ソフトウェアで実現することもできる。ソフトウェアで実現した場合、設定や処理内容などを容易に変更することができる。
【０１３２】
本発明の無線通信システムを用いることにより、ユーザは、近い距離にある無線通信端末同士は、より入力操作回数の少ない方法により、接続設定を完了させることができる。また、遠い距離にある無線通信端末同士であっても、ほぼ同様の手順によって接続設定の秘匿性を確保し、かつ、通信範囲を広げることによって、接続設定を完了させることができる。
【０１３３】
さらに、無線通信端末同士が通信できないような端末配置の場合には、接続設定時にユーザへ通知することができる。
【０１３４】
また、双方の各無線通信端末に入力した情報から生成した識別子を比較することにより、接続すべき無線通信端末であることを判定しているので、接続設定する際の送信パケットが届く範囲内に接続すべき無線通信端末以外の別の無線通信端末が存在していた場合でも、誤ってその別の無線通信端末と接続設定を行ってしまうことがなく、確実に接続すべき無線通信端末との間で接続設定を行うことができる。
【０１３５】
以上、本発明によって、ユーザに対して無線通信端末の接続設定の容易さ、接続の信頼性を提供することが可能である。また、接続設定において必ずしも十分なＵＩを必要としないため、無線通信端末への搭載も容易に実現できる。
【０１３６】
なお、本発明のプログラムは、上述した無線接続設定方法の、前記接続要求側無線通信端末によって、入力されてくる第１の情報に基づいて所定のアルゴリズムで識別子を生成する前記識別子生成ステップ、前記被接続要求側無線通信端末によって、入力されてくる第１の情報に基づいて前記所定のアルゴリズムで識別子を生成し、前記第１の情報に応じた強度の電波を放射するための送信電力を決定し、前記決定した送信電力で前記生成した識別子を含む電波を放射する前記識別子送信ステップ、前記接続要求側無線通信端末によって、前記第１の情報が入力された後、電波を受信した場合、その電波に含まれる識別子を、自らが前記第１の情報に基づいて生成した前記識別子と比較し、一致していた場合には、その電波を放射した前記被接続要求側無線通信端末が接続すべき相手端末であると判定する前記第１接続相手判定ステップ、前記接続要求側無線通信端末によって、前記第１の情報が入力された後、電波を受信しなかった場合、入力されてくる第２の情報に基づいて前記所定のアルゴリズムで識別子を生成するとともに、前記被接続要求側無線通信端末によって、入力されてくる第２の情報に基づいて前記所定のアルゴリズムで識別子を生成し、前記第２の情報に応じた強度の電波を放射するための送信電力を決定し、前記決定した送信電力で前記生成した識別子を含む電波を放射する前記識別子生成送信ステップ、前記接続要求側無線通信端末によって、前記第２の情報が入力された後、電波を受信した場合、その電波に含まれる識別子を、自らが前記第２の情報に基づいて生成した前記識別子と比較し、一致していた場合には、その電波を放射した前記被接続要求側無線通信端末が接続すべき相手端末であると判定する前記第２接続相手判定ステップ、の動作をコンピュータにより実行させるためのプログラムであって、コンピュータと協働して動作するプログラムである。
【０１３７】
また、本発明の記録媒体は、上述した無線接続設定方法の、前記接続要求側無線通信端末によって、入力されてくる第１の情報に基づいて所定のアルゴリズムで識別子を生成する前記識別子生成ステップ、前記被接続要求側無線通信端末によって、入力されてくる第１の情報に基づいて前記所定のアルゴリズムで識別子を生成し、前記第１の情報に応じた強度の電波を放射するための送信電力を決定し、前記決定した送信電力で前記生成した識別子を含む電波を放射する前記識別子送信ステップ、前記接続要求側無線通信端末によって、前記第１の情報が入力された後、電波を受信した場合、その電波に含まれる識別子を、自らが前記第１の情報に基づいて生成した前記識別子と比較し、一致していた場合には、その電波を放射した前記被接続要求側無線通信端末が接続すべき相手端末であると判定する前記第１接続相手判定ステップ、前記接続要求側無線通信端末によって、前記第１の情報が入力された後、電波を受信しなかった場合、入力されてくる第２の情報に基づいて前記所定のアルゴリズムで識別子を生成するとともに、前記被接続要求側無線通信端末によって、入力されてくる第２の情報に基づいて前記所定のアルゴリズムで識別子を生成し、前記第２の情報に応じた強度の電波を放射するための送信電力を決定し、前記決定した送信電力で前記生成した識別子を含む電波を放射する前記識別子生成送信ステップ、前記接続要求側無線通信端末によって、前記第２の情報が入力された後、電波を受信した場合、その電波に含まれる識別子を、自らが前記第２の情報に基づいて生成した前記識別子と比較し、一致していた場合には、その電波を放射した前記被接続要求側無線通信端末が接続すべき相手端末であると判定する前記第２接続相手判定ステップ、の動作をコンピュータにより実行させるためのプログラムを記録した記録媒体であり、コンピュータにより読み取り可能かつ、読み取られた前記プログラムが前記コンピュータと協働して利用される記録媒体である。
【０１３８】
また、本発明の上記「ステップの動作」とは、前記ステップの全部または一部の動作を意味する。
【０１３９】
また、本発明のプログラムの一利用形態は、コンピュータにより読み取り可能な、ＲＯＭ等の記録媒体に記録され、コンピュータと協働して動作する態様であっても良い。
【０１４０】
また、本発明のプログラムの一利用形態は、インターネット等の伝送媒体、光・電波等の伝送媒体中を伝送し、コンピュータにより読みとられ、コンピュータと協働して動作する態様であっても良い。
【０１４１】
また、上述した本発明のコンピュータは、ＣＰＵ等の純然たるハードウェアに限らず、ファームウェアや、ＯＳ、更に周辺機器を含むものであっても良い。
【０１４２】
なお、以上説明した様に、本発明の構成は、ソフトウェア的に実現しても良いし、ハードウェア的に実現しても良い。
【産業上の利用可能性】
【０１４３】
本発明にかかる無線接続設定方法、無線通信システム、接続要求側無線通信端末、被接続要求側無線通信端末等は、データ漏洩防止効果が高く、所望の無線通信端末との間で確実に接続設定できる効果を有し、テキスト、静止画、音声、動画など秘匿性を必要とするデータを伝送する無線通信端末の無線接続設定方法、そのような無線端末を有する無線通信システム等として有用である。
【符号の説明】
【０１４４】
１０、２０  無線通信端末
１１、２１  情報入力部
１２、２２  ＩＤ生成部
１３、２３  記憶部
１４、２４  出力電力決定部
１５、２５  無線信号送信部
１６、２６  無線信号受信部
１７、２７  接続先端末判定部
１８、２８  受信情報表示部
２０１  第１の無線通信端末
２０２  第２の無線通信端末
２０３  第３の無線通信端末
２１１Ａ  無線通信端末１０が送信電力Ｐ１で送信したパケットが届く通信範囲
２１１Ｂ  無線通信端末１０が送信電力Ｐ２で送信したパケットが届く通信範囲
２１１Ｃ  無線通信端末１０が送信電力Ｐ３で送信したパケットが届く通信範囲
２１１Ｚ  無線通信端末１０が送信電力Ｐｍａｘで送信したパケットが届く通信範囲
２１２Ａ  無線通信端末２０が送信電力Ｐ１で送信したパケットが届く通信範囲
２１２Ｂ  無線通信端末２０が送信電力Ｐ２で送信したパケットが届く通信範囲
２１２Ｃ  無線通信端末２０が送信電力Ｐ３で送信したパケットが届く通信範囲
２１２Ｚ  無線通信端末２０が送信電力Ｐｍａｘで送信したパケットが届く通信範囲
２２１Ｎ  第１の無線通信端末の通信範囲（通常通信エリア）
２２１Ｓ、２２１Ｔ、２２１Ｕ  第１の無線通信端末のセキュリティ通信エリア
２２２Ｎ  第２の無線通信端末の通信範囲（通常通信エリア）
２２２Ｓ  第２の無線通信端末のセキュリティ通信エリア
２２３Ｎ  第３の無線通信端末の通信範囲（通常通信エリア）
【図１】
2010252180.tif 000003
【図２】
2010252180.tif 000004
【図３】
2010252180.tif 000005
【図４】
2010252180.tif 000006
【図５】
2010252180.tif 000007
【図６】
2010252180.tif 000008
【図７】
2010252180.tif 000009
【図８】
2010252180.tif 000010